(57)【特許請求の範囲】
【請求項１】
固定接点および該固定接点に選択的に電気的に接続される可動接点を有する接点機構部と、
操作回動方向に沿った所定位置に第１の係合溝部および該第１の係合溝部の深さと異なる深さを有する第２の係合溝部を互いに離隔して有し、前記接点機構部において前記可動接点を選択された接続状態に選択的に保持するキーロック機構部と、
前記接点機構部の可動接点に連結され前記キーロック機構部の操作に応じて該可動接点の接続状態を切り換える切換機構部と、
前記キーロック機構部における前記第１の係合溝部に係合されることにより、先端が該第１の係合溝部に係合するように折り曲げられる薄板状の位置決め突起部、および、折り曲げられた該位置決め突起部が収容される内周部を有するとともに、前記第２の係合溝部に係合される係合爪を該位置決め突起部に隣接して該内周部に有し、該位置決め突起部および係合爪を介して作用される前記キーロック機構部からの操作力を前記切換機構部に切り換え動作を行わせるべく該切換機構部に伝達する回転筒部材と、を備え、
前記回転筒部材の前記位置決め突起部の先端が、前記キーロック機構部の第２の係合溝部に当接される場合、前記キーロック機構部と前記回転筒部材との相互間距離は、前記回転筒部材の前記位置決め突起部の先端が前記キーロック機構部の前記第１の係合溝部に当接される場合に比して小となることを特徴とするセレクタスイッチ。
【請求項２】
前記切換機構部は、前記接点機構部の可動接点を前記固定接点に対して接続状態または非接続状態とすべく該可動接点を移動させるカムフォロア部と、前記回転筒部材に連結され該回転筒部材の回動に応じて該カムフォロア部に移動させる動作を行わせるカム部とを含んでなることを特徴とする請求項１記載のセレクタスイッチ。
【請求項３】
前記回転筒部材は、前記キーロック機構部と前記切換機構部との間に形成され、前記キーロック機構部における第１の係合溝部が配置されるとともに該キーロック機構部が固定される筒状部内に、前記位置決め突起部、および、折り曲げられた該位置決め突起部が収容されることを特徴とする請求項１記載のセレクタスイッチ。
【請求項４】
前記回転筒部材の位置決め突起部は、前記筒状部の中心軸線方向に沿って延びるように該筒状部における前記キーロック機構部の第１の係合溝に対応した所定位置に一体に形成された薄板状の突起片であることを特徴とする請求項３記載のセレクタスイッチ。
【請求項５】
前記キーロック機構部の第１の係合溝部および第２の係合溝部の周縁部は、前記筒状部に圧入されて前記回転筒部材に固定されることを特徴とする請求項３記載のセレクタスイッチ。
【発明の詳細な説明】
【０００１】
【発明の属する技術分野】
本発明は、固定接点に対し可動接点を選択された接続状態に選択的に保持するキーロック機構部を備えるセレクタスイッチに関する。
【０００２】
【従来の技術】
セレクタスイッチにおいては、例えば、誤操作を回避すべく、可動接点の接続状態を選択的に切り換える機能に加えて、その切換え操作を特定の人に限定する機能を備えるキースイッチまたはキーロックスイッチと称されるセレクタスイッチが広く実用に供されている。
【０００３】
このようなキースイッチは、例えば、図６に示されるように、可動接点の接続状態を切り換えられるとき、操作されるキー部材２が挿入されるキーロック機構部４と、キーロック機構部４の係合部４ａがキー部材２の操作に応じて係合される溝板６ｂを内部に有しキーロック機構部４を包囲するケーシング６と、ケーシング６が配置される円筒状部１０が設けられるフレーム部材１２と、フレーム部材１２の下部に設けられキーロック機構部４の動作に応じた接続状態を、図示が省略される可動接点に対しとらせる接点機構部１４と、を含んで構成されている。
【０００４】
円柱状のキーロック機構部４は、キー部材２が挿入されるキー穴４Ｋを一方の端面に有している。キー穴４Ｋの周縁部には、後述する組み付け作業のための目印４ｍが設けられている。
【０００５】
キーロック機構部４は、その他方の端部に、係合溝４ｂが形成される小径部を有している。その小径部に連なる大径部と小径部との段差部分近傍には、後述する回転筒部材８の内周部８ｂに圧入されて固定される嵌合部４ｆが形成されている。嵌合部４ｆにおける回転筒部材８の内周部８ｂに対向する端面には、４個の溝４ｇが円周方向に沿って等しい角度間隔で形成されている。
【０００６】
また、大径部の外周面には、キー部材２がキー穴４Ｋに挿入されていないとき、係合部４ａが外部に向けて突出する開口部が形成されている。その係合部４ａは、図示が省略される機構によってキー部材２がキー穴４Ｋに挿入されることにより、内部に引き込まれることとなる。従って、キー部材２がキー穴４Ｋに挿入されることにより、ケーシング６内に組み付けられたキーロック機構部４は、ケーシング６の溝板６ｂに対して相対回転可能となる。
【０００７】
円筒状のケーシング６は、キーロック機構部４が挿入される開口端部６ａを有している。
【０００８】
ケーシング６は、その内周部に、キーロック機構部４の係合部４ａが選択的に係合される複数の溝を係合部４ａに対応した位置に備える溝板６ｂを有している。
【０００９】
ケーシング６の一方の端部は、フレーム部材１２の円筒状部１０の末端部に載置される。
【００１０】
フレーム部材１２の円筒状部１０の外周面には、このキースイッチを取り付けるためのナットＮｕが嵌め合わされる雄ねじ部が形成されている。円筒状部１０の末端部には、回転筒部材８の外周部を受けて支持する複数の爪部材１０ａを有している。
【００１１】
回転筒部材８は、例えば、樹脂材料で成形され、内周部８ｂにおける中央の透孔８ｅの周縁に、キーロック機構部４の係合溝４ｇに対応して４個の係合爪８ａを有している。複数の係合爪８ａの相互間隔のうちのひとつには、キーロック機構部４の目印４ｍに対応して位置合わせ用の目印８ｍが設けられている。透孔８ｅにおける下方側には、図７に拡大されて示されるように、キーロック機構部４の係合溝４ｂに係合される固定爪８Ｋが形成されている。
【００１２】
接点機構部１４は、回転筒部材８の下部に連結されるカム部材、および、固定接点に対向配置される可動接点を有しカム部材のカム面に追従するように移動可能に支持されるカムフォロア部を含んで構成されている。
【００１３】
このような構成により、その可動接点は、回転筒部材８の回転に伴って回転せしめられるカム部材のカム面のカム曲線に応じて選択的に固定接点に接続されることとなる。
【００１４】
このようなキースイッチを組み立てるにあたっては、図８の（ａ），（ｂ），および、（ｃ）に示されるように、先ず、キー部材２が図６に実線で示される位置から二点鎖線で示される位置までキーロック機構部４のキー穴４Ｋに挿入された後、キー部材２が挿入されたキーロック機構部４は、図８の（ａ）に示されるように、キーロック機構部４の目印４ｍをケーシング６を介して円筒状部１０の目印８ｍに一致させるとともに、その小径部が透孔８ｅに到達するまでケーシング６の開口端部６ａに挿入される。
【００１５】
次に、図８の（ｂ）に示されるように、キーロック機構部４の係合溝４ｇと回転筒部材８の係合爪８ａとの位置が互いに一致するように、キーロック機構部４が回転されて位置調整される。
【００１６】
続いて、図８の（ｃ）に示されるように、キーロック機構部４の係合溝４ｇと回転筒部材８の係合爪８ａとの位置が一致されるもとで、キーロック機構部４の嵌合部４ｆが内周部８ｂに圧入される。これにより、回転筒部材８の各係合爪８ａがキーロック機構部４の各係合溝４ｇに係合されるとともに、係合爪８Ｋが押し広げられてキーロック機構部４の係合溝４ｂに係合される。従って、キーロック機構部４の回転に伴って回転筒部材８が回転せしめられることとなる。
【００１７】
【発明が解決しようとする課題】
上述のように、組み立て作業が行われる場合、図８の（ａ）に示されるように、円筒状部１０の目印８ｍがキーロック機構部４により隠れる位置に設けられているので作業者は、目印８ｍを目視により確認できないので経験により、キーロック機構部４の係合溝４ｇと回転筒部材８の係合爪８ａとの位置を一致させる位置調整を行うとともに、かつ、圧入作業を行うこととなる。
【００１８】
しかし、キーロック機構部４の各係合溝４ｇおよび回転筒部材８の各係合爪８ａは、それぞれ点対称となる位置に設けられているので誤ってキー部材２が所定の設定位置とはならない状態で組みつけられる虞がある。このような場合、その係合爪８Ｋがキーロック機構部４の係合溝４ｂに係合されているので組み立てられたものを組み立てなおすことは容易ではない。
【００１９】
以上の問題点を考慮して、本発明は、固定接点に対し可動接点を選択された接続状態に選択的に保持するキーロック機構部を備えるセレクタスイッチであって、キーロック機構部におけるセレクタスイッチの他の構成部材に対する所定の組み付け位置を誤ることなく、常にキーロック機構部を所定の組み付け位置に組み付けることができるセレクタスイッチを提供することを目的とする。
【００２０】
【課題を解決するための手段】
上述の目的を達成するために、本発明に係るセレクタスイッチは、固定接点および固定接点に選択的に電気的に接続される可動接点を有する接点機構部と、操作回動方向に沿った所定位置に第１の係合溝部および第１の係合溝部の深さと異なる深さを有する第２の係合溝部を互いに離隔して有し、接点機構部において可動接点を選択された接続状態に選択的に保持するキーロック機構部と、接点機構部の可動接点に連結されキーロック機構部の操作に応じて可動接点の接続状態を切り換える切換機構部と、キーロック機構部における第１の係合溝部に係合されることにより、先端が第１の係合溝部に係合するように折り曲げられる薄板状の位置決め突起部、および、折り曲げられた位置決め突起部が収容される内周部を有するとともに、第２の係合溝部に係合される係合爪を位置決め突起部に隣接して内周部に有し、位置決め突起部および係合爪を介して作用されるキーロック機構部からの操作力を切換機構部に切り換え動作を行わせるべく切換機構部に伝達する回転筒部材と、を備え、回転筒部材の位置決め突起部の先端が、キーロック機構部の第２の係合溝部に当接される場合、キーロック機構部と回転筒部材との相互間距離は、回転筒部材の位置決め突起部の先端がキーロック機構部の第１の係合溝部に当接される場合に比して小となることを特徴とする。
【００２１】
また、切換機構部は、接点機構部の可動接点を固定接点に対して接続状態または非接続状態とすべく可動接点を移動させるカムフォロア部と、回転筒部材に連結され回転筒部材の回動に応じてカムフォロア部に移動させる動作を行わせるカム部とを含んでなるものであってもよい。
【００２２】
さらに、回転筒部材は、キーロック機構部と切換機構部との間に形成され、キーロック機構部における第１の係合溝部が配置されるとともにキーロック機構部が固定される筒状部内に、位置決め突起部、および、折り曲げられた該位置決め突起部が収容されるものでもよい。
【００２３】
回転筒部材の位置決め突起部は、筒状部の中心軸線方向に沿って延びるように筒状部におけるキーロック機構部の第１の係合溝に対応した所定位置に一体に形成された薄板状の突起片であってもよい。
【００２４】
キーロック機構部の第１の係合溝部および第２の係合溝部の周縁部は、筒状部に圧入されて回転筒部材に固定されてもよい。
【００２５】
【発明の実施の形態】
図２は、本発明に係るセレクタスイッチの一例の構成を示す。
【００２６】
図２において、所謂、キーロックスイッチとされるセレクタスイッチは、各接点間において例えば、オン状態、中立状態、オフ状態からなる３段階の接続状態を選択可能とされる。
【００２７】
セレクタスイッチは、その接続状態が切り換えられるとき、操作されるキー部材１８が挿入されるキーロック機構部２０と、キーロック機構部２０の係合部２０ａがキー部材１８の操作に応じて係合される溝板２２ｂを内部に有しキーロック機構部２０を包囲するケーシング２２と、ケーシング２２が配置される円筒状部２６が設けられるフレーム部材２８と、フレーム部材２８の下部に設けられキーロック機構部２０の動作に応じた接続状態を後述する可動接点部材３８にとらせる接点機構部３０とを含んで構成されている。
【００２８】
円柱状のキーロック機構部２０は、例えば、主に亜鉛ダイキャスト合金により作られ、キー部材１８が挿入されるキー穴２０Ｋを一方の端面に有する大径部と、大径部に連なり係合溝２０ｎを有する小径部とから構成されている。
【００２９】
大径部のキー穴２０Ｋにおける周縁部の所定位置には、後述する組み付け作業の際、用いられる目印２０ｍが設けられている。目印２０ｍは、例えば、作業者が目視可能とされる文字または記号等とされる。また、大径部は、後述するケ−シング２２の開口端部２２ａの周縁に係合されるフランジ部２０ｔを一方の端部に有している。
【００３０】
大径部と小径部との段差部分近傍には、後述する回転筒部材２４の内周部２４ｂに圧入され固定される嵌合部２０ｆが形成されている。嵌合部２０ｆの回転筒部材２４の内周部２４ｂに対向する端面には、例えば、１個の係合溝２０ｇａと、３個の同一形状の係合溝２０ｇｂとが円周方向に沿って等しい角度間隔で形成されている。係合溝２０ｇａは、円周方向に沿って目印２０ｍ側から見て時計回り方向に所定の角度をなす位置に細長く形成されている。係合溝２０ｇａの幅と係合溝２０ｇｂの幅とは、互いに等しいが、係合溝２０ｇａの深さと各係合溝２０ｇｂの深さとは、図５の（ｂ）に示されるように、互いに異なっている。係合溝２０ｇａの深さは、各係合溝２０ｇｂの深さに比して浅く設定されている。
【００３１】
また、大径部の外周面には、キー部材１８がキー穴２０Ｋに挿入されていないとき、大径部の内部に設けられる施錠機構（図示が省略される）に連結される係合部２０ａが外部に向けて突出する開口部が形成されている。その係合部２０ａは、キー部材１８がキー穴２０Ｋに挿入されるとき、施錠機構により、内部に引き込まれるものとされる。従って、キー部材１８がキー穴２０Ｋに挿入されることにより、ケーシング２２に組み付けられたキーロック機構部２０は、ケーシング２２の溝板２２ｂに対して相対回転可能となる。一方、キー部材１８がキー穴２０Ｋから引き抜かれることにより、キーロック機構部２０は、所定の接続状態とされる位置でケーシング２２の溝板２２ｂに対して固定されることとなる。
【００３２】
円筒状のケーシング２２は、キーロック機構部２０が挿入される開口端部２２ａを有している。ケーシング２２は、その内周部に、キーロック機構部２０の係合部２０ａが選択的に係合される溝を、円周方向に沿って係合部２０ａに対応した複数の位置に備える溝板６ｂを有している。
【００３３】
ケーシング２２の一方の端部は、フレーム部材２８の円筒状部２６の末端部に載置される。フレーム部材２８の円筒状部２６の外周面には、このセレクタスイッチを取り付けるために用いられるナットＮｕが嵌め合わされる雄ねじ部２６ｓが基端部から末端部に向かって形成されている。円筒状部２６の末端部の内側には、回転筒部材２４の外周部を受けて支持する複数の爪部材２６ａを有している。
【００３４】
操作力伝達部としての回転筒部材２４は、例えば、ポリアセタール樹脂で成形され、内周部２４ｂにおける中央の透孔２４ｈの周縁における底面部２４ｒに、キーロック機構部２０の係合溝２０ｇｂにそれぞれ対応して３個の係合爪２４ａを有している。また、図１および図２に示されるように、回転筒部材２４には、キーロック機構部２０の係合溝２０ｇａに対応して位置決め突起部として薄板状の突起片２４ｅが一体に成形されている。突起片２４ｅは、図１に拡大されて二点鎖線で示されるように、それが収容される収容部としての内周部２４ｂの隆起部２４ｄに平行となるように折り曲げ可能とされる。
【００３５】
係合爪２４ａと突起片２４ｅとの複数の相互間の１箇所には、キーロック機構部２０の目印２０ｍに対応して位置合わせ用の目印２４ｍが設けられている。透孔２４ｈにおける下方側には、図１に拡大されて示されるように、キーロック機構部２０の係合溝２０ｎに係合される固定爪２４ｔが形成されている。また、回転筒部材２４は、図３に示されるように、カム部材３４の係合爪３４ａが係合される穴２４Ｋを下端部２４Ｓに有している。回転筒部材２４の下端部２４Ｓにおける外周面とフレーム部材２８の内周面との間の空間には、コ字状断面形状を有するノッチリング４４と、回転筒部材２４の下端の外周部に巻装されノッチリング４４をカム部材３４側に付勢するコイルスプリング３２とが設けられている。
【００３６】
フレーム部材２８に結合される接点機構部３０は、図３および図４に示されるように、回転筒部材２４の下端部２４Ｓに係合爪３４ａおよび穴２４Ｋにより連結されるカム部材３４、および、２個の固定接点部材４０にそれぞれ対向配置される一対の接点を有する可動接点部材３８と、可動接点部材３８を保持するとともに、カム部材３４のカム面３４Ｓに追従するように移動可能に支持されるカムフォロア部材３６とを含んで構成されている。
【００３７】
カムフォロア部材３６は、２個の固定接点部材４０にそれぞれ対向配置される可動接点部材３８を支持している。また、カムフォロア部材３６は、ケーシング２９により昇降動可能に支持されるとともに、コイルスプリング４６によりカム部材３４のカム面３４Ｓ側に付勢されている。カム部材３４の下端面に形成されるカム面３４Ｓは、カムフォロア部材３６が３段階、例えば、固定接点部材４０と可動接点部材３８とが接続状態、非接続状態、中立状態に段階的に昇降動するように所定のカム曲線に従い円周方向に沿って形成されている。このような構成により、その可動接点部材３８は、回転筒部材２４の回転に伴って回転せしめられるカム部材３４のカム面３４Ｓのカム曲線に応じて選択的に固定接点部材４０に接続されることとなる。
【００３８】
２個の固定接点部材４０は、互いに平行となるようにケーシング２９に設けられている。
【００３９】
また、２個の固定接点部材４０には、それぞれ、外部接続用のビスＢｉが設けられている。
【００４０】
このようなセレクタスイッチのキーロック機構部２０を回転筒部材２４に組み付けるにあたっては、ケーシング２２が円筒状部２６の末端部に載置されるもとで、図５の（ａ），（ｂ），および、（ｃ）に示されるように、先ず、キー部材１８が図２に実線で示される位置から二点鎖線で示される位置までキーロック機構部２０のキー穴２０Ｋに挿入された後、キー部材１８が挿入されたキーロック機構部２０は、図５の（ａ）に示されるように、キーロック機構部２０の目印２０ｍが、ケーシング２２を介して回転筒部材２４の目印２４ｍに一致されるように、その小径部が透孔２４ｈ内に到達するまでケーシング２２の開口端部２２ａに挿入される。
【００４１】
次に、図５の（ｂ）に示されるように、キーロック機構部２０の係合溝２０ｇａと回転筒部材２４の突起片２４ｅとが一致せしめられるとともに、各係合溝２０ｇｂと各係合爪２４ａとが対向配置される。その際、係合溝２０ｇａと各係合爪２４ａとが誤って位置合わせされ一致した場合、ケーシング２２の開口端部２２ａからキーロック機構部２０のキー穴２０Ｋのある面までの距離Ｈｎｇは、所定の正規の距離Ｈｇよりも短いものとなる。これにより、誤った位置合わせがなされたことが作業者により検知されることとなる。
【００４２】
従って、このような場合は、キーロック機構部２０が直前の状態に戻され再度、正規の位置となるようにキーロック機構部２０の位置調整がなされる。その結果、誤った位置合わせによる組み付け作業は、回避されることとなる。
【００４３】
続いて、図５の（ｃ）に示されるように、キーロック機構部２０の係合溝２０ｇａと回転筒部材２４の突起片２４ｅとの位置が一致されるもとで、キーロック機構部２０の嵌合部２０ｆが内周部２４ｂに圧入される。
【００４４】
これにより、回転筒部材２４の突起片２４ｅが図１に二点鎖線で示されるように、隆起部２４ｄに平行に折り曲げられて隆起部２４ｄと係合溝２０ｇａとの間に収容される。また、回転筒部材２４の各係合爪２４ａが押し広げられてキーロック機構部２０の係合溝２０ｇｂに係合されるとともに、係合爪２４ｔがキーロック機構部２０の係合溝２０ｎに係合される。
【００４５】
従って、キーロック機構部２０の回転筒部材２４および係合爪２４ｔに対する組み付けは、完了し、また、回転筒部材２４がキーロック機構部２０の回転に伴って回転せしめられることとなる。
【００４６】
上述の例においては、キーロック機構部２０の係合溝２０ｇａと回転筒部材２４の突起片２４ｅとが一致したか否かの判断を、係合溝２０ｇａの深さに基づくケーシング２２の開口端部２２ａからキーロック機構部２０のキー穴２０Ｋのある面までの距離の相違によって判断されているが、かかる例に限られることなく、例えば、係合溝２０ｇａの形状がキーロック機構部２０の係合溝２０ｇａと回転筒部材２４の突起片２４ｅとのみが互いに係合可能な形状とされ、その回転筒部材２４の突起片２４ｅは、他の係合溝とは係合不可能な形状とされることによってキーロック機構部２０の係合溝２０ｇａと回転筒部材２４の突起片２４ｅとが一致したか否かが判断されてもよい。
【００４７】
【発明の効果】
以上の説明から明らかなように、本発明に係るセレクタスイッチによれば、回転筒部材の位置決め突起部の先端が、キーロック機構部の第２の係合溝部に当接される場合、キーロック機構部と回転筒部材との相互間距離は、回転筒部材の位置決め突起部の先端がキーロック機構部の第１の係合溝部に当接される場合に比して小となるので組み合わされるキーロック機構部と回転筒部材との位置合わせが正規の位置か、あるいは、誤った位置合わせがなされたかが作業者により認識され、従って、作業者は、キーロック機構部におけるセレクタスイッチの他の構成部材に対する所定の組み付け位置を誤ることなく、常にキーロック機構部を所定の組み付け位置に組み付けることができる。
【図面の簡単な説明】
【図１】本発明に係るセレクタスイッチの一例の要部を拡大して示す断面図である。
【図２】本発明に係るセレクタスイッチの一例の構成を示す分解斜視図である。
【図３】本発明に係るセレクタスイッチの一例の要部を示す部分断面図である。
【図４】本発明に係るセレクタスイッチの一例の接点機構部を示す断面図である。
【図５】（ａ），（ｂ），および、（ｃ）は、それぞれ、本発明に係るセレクタスイッチの一例における組み立て工程の説明に供される断面図である。
【図６】従来のキースイッチの構成を示す分解斜視図である。
【図７】図６に示す例における要部を拡大して示す断面図である。
【図８】（ａ），（ｂ），および、（ｃ）は、それぞれ、図６に示す例における組み立て工程の説明に供される断面図である。
【符号の説明】
１８  キー部材
２０  キーロック機構部
２０ｇａ  係合溝
２４  回転筒部材
２４ｄ  底部
２４ｅ  突起片
３４  カム部材
３６  カムフォロア部材
【図１】
0003929626.tif 000002
【図２】
0003929626.tif 000003
【図３】
0003929626.tif 000004
【図４】
0003929626.tif 000005
【図５】
0003929626.tif 000006
【図６】
0003929626.tif 000007
【図７】
0003929626.tif 000008
【図８】
0003929626.tif 000009